(57)【特許請求の範囲】
【請求項１】
走行床面（２０）に最も近い前方延伸状第１棚部（１）と、
下から２番目の後方延伸状第２棚部（２）と、
下から３番目の前方延伸状第３棚部（３）と、
最上位置の後方延伸状の予備用の第４棚部（４）と、を備え、
後キャスタ（６）を下端に有する略鉛直状第１パイプ部（１１）と、前方上傾状第２パ
イプ部（１２）と、略鉛直状第３パイプ部（１３）と、後方上傾状であって後端にグリッ
プ部（１５）を有する第４パイプ部（１４）と、を有するジグザグ形状の左右１対の側方
支持杆体（１０）（１０）を、備え、
上記第１棚部（１）は、上記第１パイプ部（１１）から前方延伸状に付設され、かつ、
前端に前キャスタ（５）が付設され、
上記第２棚部（２）は、上記第２パイプ部（１２）から後方延伸状に付設され、
上記第３棚部（３）は、上記第３パイプ部（１３）から前方延伸状に付設され、
上記第４棚部（４）は、上記第４パイプ部（１４）と側面視で交差する後方下傾状の２本の杆材（１９）（１９）と、上記第４パイプ部（１４）の一部位により構成され、上記第４パイプ部（１４）に沿って配設されていることを特徴とするショッピングカート。
【請求項２】
上記第３パイプ部（１３）は、ショッピングカート前後寸法（Ｌ）の約半分の位置に配
設されている請求項１記載のショッピングカート。
【発明の詳細な説明】
【技術分野】
【０００１】
本発明は、ショッピングカートに関する。
【背景技術】
【０００２】
従来、買い物かごを複数個載せることができるショッピングカートとして、上段と下段のそれぞれに買い物かごを載せることができるものが知られている（特許文献１参照）。
【先行技術文献】
【特許文献】
【０００３】
【特許文献１】特開平１１−９１５７６号公報
【発明の概要】
【発明が解決しようとする課題】
【０００４】
しかし、特許文献１記載の、従来のショッピングカートは、全長が長く、取り回しが悪いため、スーパーマーケット内での接触事故が起こりやすい欠点があった。特に、買い物かごを４個載せている場合、その重量により、慣性モーメントが大きくなり、制御が一層困難になるという欠点があった。
【０００５】
そこで、本発明は、コンパクトでありながら買い物かごを４個載せることができ、しかも、買い物かごを４個載せている場合でも、全体の重心が車体の中心近くに配分され、取り回しがよく、接触事故の虞が少ないショッピングカートを提供することを目的とする。
【課題を解決するための手段】
【０００６】
本発明に係るショッピングカートは、走行床面に最も近い前方延伸状第１棚部と、下から２番目の後方延伸状第２棚部と、下から３番目の前方延伸状第３棚部と、最上位置の後方延伸状の予備用の第４棚部と、を備えたものである。
【０００７】
また、後キャスタを下端に有する略鉛直状第１パイプ部と、前方上傾状第２パイプ部と
、略鉛直状第３パイプ部と、後方上傾状であって後端にグリップ部を有する第４パイプ部
と、を有するジグザグ形状の左右１対の側方支持杆体を、備え、上記第１棚部は、上記第
１パイプ部から前方延伸状に付設され、かつ、前端に前キャスタが付設され、上記第２棚
部は、上記第２パイプ部から後方延伸状に付設され、上記第３棚部は、上記第３パイプ部
から前方延伸状に付設され、上記第４棚部は、上記第４パイプ部と側面視で交差する後方下傾状の２本の杆材と、上記第４パイプ部の一部位により構成され、上記第４パイプ部に沿って配設されているものである。
また、上記第３パイプ部は、ショッピングカート前後寸法の約半分の位置に配設されて
いるものである。
【発明の効果】
【０００８】
本発明のショッピングカートによれば、買い物かご４個をコンパクトに積載できる。そして、買い物かごを４個載せている場合でも、取り回しがよく、楽に走行でき、接触事故の虞れを少なくできる。
【図面の簡単な説明】
【０００９】
【図１】本発明のショッピングカートの実施形態を示す斜視図である。
【図２】本発明のショッピングカートの実施形態を示す側面図である。
【図３】買い物かごを４個載せた状態を示す斜視図である。
【図４】買い物かごを４個載せた状態を示す側面図である。
【発明を実施するための形態】
【００１０】
以下、図示の実施の形態に基づき本発明を詳説する。
図１〜図４は、本発明のショッピングカートの実施の一形態を示す。このショッピングカートは、走行床面２０に最も近い前方延伸状第１棚部１と、下から２番目の後方延伸状第２棚部２と、下から３番目の前方延伸状第３棚部３と、最上位置の後方延伸状の予備用の第４棚部４と、を備えている。
【００１１】
本発明のショッピングカートは、ジグザグ形状の左右１対の側方支持杆体１０，１０を、備えている。
各側方支持杆体１０は、後キャスタ６を下端に有する略鉛直状第１パイプ部１１と、前方上傾状第２パイプ部１２と、略鉛直状第３パイプ部１３と、後方上傾状であって後端にグリップ部１５を有する第４パイプ部１４と、を有する。また、１７は、前方延伸パイプ部であって、第１パイプ部１１に連設される。また、この前方延伸パイプ部１７は、平面視略コの字型であって、前端に２個の前キャスタ５，５が付設される。
【００１２】
上記第１棚部１は、上記第１パイプ部１１に連設された上記前方延伸パイプ部１７と、そのパイプ部１７に一体に設けた杆材１８から、構成される。この杆材１８は、水平部１８ａを有し、後方上傾状の前方延伸パイプ部１７よりも、（側面視で）下方位置に在り、この水平部１８ａの上に置かれた買い物かごが横すべりすることを、前方延伸パイプ部１７が阻止する役目をなしている。
上記第２棚部２は、第２パイプ部１２から後方延伸状に付設される。そして、側板７が交叉部近傍に配設され、第２棚部２上に置かれる買い物かごの横すべりを防止する。
上記第３棚部３は、第３パイプ部１３から前方延伸状に付設される。第３棚部３は、金属フレームを格子状に組み合わせて構成され、その底部は後方下傾状であり、第３棚部３は全体的浅皿型として、第３棚部３上に置かれる買い物かごの左右側方と前方への移動を防止する。
上記第４棚部４は、第４パイプ部１４に沿って設けられる。第４棚部４は、後方下傾状の２本の杆材１９と、第４パイプ部１４の一部位により構成され、第４パイプ部１４が、２本の杆材１９上に置かれる買い物かごの横すべりを防止する。
【００１３】
上記第３パイプ部１３は、ショッピングカートの前後寸法Ｌの約半分の位置に配設されている。言い換えると、ショッピングカートの前後寸法Ｌの前半部Ｌ１と、後半部Ｌ２とが略等しい。例えば、０．４≦Ｌ１／Ｌ≦０．６とする。ショッピングカートの前キャスタ５と後キャスタ６のホイールベースの中間位置に上記第３パイプ部１３が配設されると言うこともできる。
【００１４】
次に、図３、図４は、本発明のショッピングカートに買い物かごＥを載せた状態を示す。買い物かごＥを２点鎖線で示す。
第１棚部１、第２棚部２、第３棚部３、第４棚部４に１つずつ買い物かごＥを載せた状態では、第３パイプ部１３は、ショッピングカートの前後寸法Ｌの約半分の位置にある。すなわち、カートの重心位置にあり、その前後に２つずつの買い物かごＥが配置されるため、前後の重量バランスが良く、カートの操作、特に方向変換を小さな力で狭い場所でも行うことができ、衝突事故を回避できる。なお、使用時には、第１棚部１に一つ目の買い物かごＥを置き、買い物が進むにつれて第２棚部２、第３棚部３、第４棚部４の順序で買い物かごＥを追加していくこともでき、あるいは、使用者の好みに応じて順序を前後変更自在である。
【００１５】
本発明は、上述の実施形態に限定されず、例えば、第１棚部１、第２棚部２、第３棚部３、第４棚部４の構造と形状は、変更自由であり、材質もプラスチック等を一部に利用可能である。
【００１６】
本発明は上述のように、走行床面２０に最も近い前方延伸状第１棚部１と、下から２番目の後方延伸状第２棚部２と、下から３番目の前方延伸状第３棚部３と、最上位置の後方延伸状の予備用の第４棚部４と、を備えたので、買い物かごを４個載せることができ、しかもカート全体がコンパクトになり、取り回しが良いという利点がある。かつ、不使用状態で、多数のショッピングカートを狭い場所に集めることができる。
【００１７】
また、後キャスタ６を下端に有する略鉛直状第１パイプ部１１と、前方上傾状第２パイプ部１２と、略鉛直状第３パイプ部１３と、後方上傾状であって後端にグリップ部１５を有する第４パイプ部１４と、を有するジグザグ形状の左右１対の側方支持杆体１０，１０を、備え、上記第１棚部１は、上記第１パイプ部１１から前方延伸状に付設され、かつ、前端に前キャスタ５が付設され、上記第２棚部２は、上記第２パイプ部１２から後方延伸状に付設され、上記第３棚部３は、上記第３パイプ部１３から前方延伸状に付設され、上記第４棚部４は、上記第４パイプ部１４に沿って配設されているので、買い物かごを４個載せることができ、カート全体がコンパクトになり、カートの操作、特に方向変換を小さな力で狭い場所でも行うことができ、衝突事故を回避できる。さらに、不使用状態の多数のショッピングカートを狭い空間にストックできる。
【００１８】
また、第３パイプ部１３は、ショッピングカート前後寸法Ｌの約半分の位置に配設されているので、前後の重量バランスが良く、カートの方向変換を小さな力で狭い場所でも行うことができ、衝突事故を回避できる。
【符号の説明】
【００１９】
１  第１棚部
２  第２棚部
３  第３棚部
４  第４棚部
５  前キャスタ
６  後キャスタ
１０  側方支持杆体
１１  第１パイプ部
１２  第２パイプ部
１３  第３パイプ部
１４  第４パイプ部
１５  グリップ部
２０  走行床面
Ｅ  買い物かご
Ｌ  前後寸法
【要約】
【課題】買い物かごを４個載せている場合でも、取り回しがよく、楽に走行でき、接触事故の虞を少なくできるショッピングカートを提供する。
【解決手段】走行床面２０に最も近い前方延伸状第１棚部１と、下から２番目の後方延伸状第２棚部２と、下から３番目の前方延伸状第３棚部３と、最上位置の後方延伸状の予備用の第４棚部４と、を備える。
【選択図】図２【図１】
0006796341.tif 000002
【図２】
0006796341.tif 000003
【図３】
0006796341.tif 000004
【図４】
0006796341.tif 000005